(57)【要約】【課題】  誤操作を防止する。【解決手段】  収納ケース部を有する外筐と、収納ケース部に対して収納位置と引出位置の間でスライド可能とされたファインダーとを備え、ファインダーに操作部が設けられ、操作部が収納位置において閉塞されて操作部に対する操作が不能とされ、操作部が引出位置において開放されて操作部に対する操作が可能とされた。  これにより、ファインダーが収納位置にある状態において、外筐を把持して撮像装置を使用したときに、使用者が意図せず操作部を操作してしまうことがなく、操作部に対する誤操作を防止することができる。【選択図】        図４
2013138376.tif 000002
【特許請求の範囲】
【請求項１】
収納ケース部を有する外筐と、
前記収納ケース部に対して収納位置と引出位置の間でスライド可能とされたファインダーとを備え、
前記ファインダーに操作部が設けられ、
前記操作部が前記収納位置において閉塞されて前記操作部に対する操作が不能とされ、
前記操作部が前記引出位置において開放されて前記操作部に対する操作が可能とされた
撮像装置。
【請求項２】
前記ファインダーが前記引出位置において前記収納ケース部に対して回動可能とされた
請求項１に記載の撮像装置。
【請求項３】
前記収納ケース部に操作スイッチが設けられた
請求項１に記載の撮像装置。
【請求項４】
前記操作部と前記操作スイッチがそれぞれ前記ファインダーと前記収納ケース部の同一方向を向く面に設けられた
請求項３に記載の撮像装置。
【請求項５】
前記ファインダーに前記操作部の少なくとも一部を覆う庇部が設けられた
請求項１に記載の撮像装置。
【請求項６】
前記ファインダーが前記収納位置から前記引出位置にスライドされたときに電源が投入されるようにした
請求項１に記載の撮像装置。
【発明の詳細な説明】
【技術分野】
【０００１】
本発明は撮像装置についての技術分野に関する。詳しくは、収納ケース部に対してスライドされるファインダーに操作部を設けファインダーが引出位置にスライドされたときに操作部に対する操作を可能として誤操作を防止する技術分野に関する。
【背景技術】
【０００２】
ビデオカメラやスチルカメラ等の撮像装置には、外筐に設けられた収納ケース部に対して収納位置と引出位置の間でスライド可能とされたファインダーを有しているものがある（例えば、特許文献１参照）。
【０００３】
このような撮像装置にあっては、例えば、外筐の後面にバッテリー等が装着される場合に、ファインダーを収納ケース部から引き出すことによりファインダーの後端部がバッテリーより後方に位置される。従って、使用者（撮影者）の顔がバッテリーに接触することなくファインダーを覗くことができ、使い勝手の向上を図ることができる。
【０００４】
上記のような撮像装置にあっては、ファインダー及び収納ケース部が後端側に位置されているため、使用者はファインダーや収納ケース部を把持した状態でファインダーを覗き込んで撮影等を行う場合が多い。
【０００５】
撮影時等には、外筐の外面やファインダーの外面に配置された各種の操作釦や操作摘子等の操作部が操作される。
【０００６】
【特許文献１】特開２０１０−１０９４５４号公報
【発明の開示】
【発明が解決しようとする課題】
【０００７】
ところが、上記のようにファインダーや収納ケース部を把持した状態で撮影等を行ったときに、使用者が意図しない操作部を操作してしまい、誤操作を生じるおそれがある。
【０００８】
特に、ファインダーを使用する場合において操作される操作部、例えば、視度を調整する摘子等が意図せず操作されてしまうと、ファインダーの使用中に視度が変化してしまい撮影に支障を来たす等の不具合を生じるおそれがある。
【０００９】
そこで、本発明撮像装置は、上記した問題点を克服し、誤操作を防止することを課題とする。
【課題を解決するための手段】
【００１０】
第１に、撮像装置は、上記した課題を解決するために、収納ケース部を有する外筐と、前記収納ケース部に対して収納位置と引出位置の間でスライド可能とされたファインダーとを備え、前記ファインダーに操作部が設けられ、前記操作部が前記収納位置において閉塞されて前記操作部に対する操作が不能とされ、前記操作部が前記引出位置において開放されて前記操作部に対する操作が可能とされたものである。
【００１１】
従って、撮像装置にあっては、操作部に対する操作が引出位置においてのみ行われる。
【００１２】
第２に、上記した撮像装置においては、前記ファインダーが前記引出位置において前記収納ケース部に対して回動可能とされることが望ましい。
【００１３】
ファインダーが引出位置において収納ケース部に対して回動可能とされることにより、撮像装置における使用態様の幅が広がる。
【００１４】
第３に、上記した撮像装置においては、前記収納ケース部に操作スイッチが設けられることが望ましい。
【００１５】
収納ケース部に操作スイッチが設けられることにより、ファインダーを引出位置に引き出した状態において操作スイッチ及び操作部を同時に操作可能になる。
【００１６】
第４に、上記した撮像装置においては、前記操作部と前記操作スイッチがそれぞれ前記ファインダーと前記収納ケース部の同一方向を向く面に設けられることが望ましい。
【００１７】
操作部と操作スイッチがそれぞれファインダーと収納ケース部の同一方向を向く面に設けられることにより、ファインダーを引出位置に引き出した状態において操作スイッチ及び操作部を同一方向から操作可能になる。
【００１８】
第５に、上記した撮像装置においては、前記ファインダーに前記操作部の少なくとも一部を覆う庇部が設けられることが望ましい。
【００１９】
ファインダーに操作部の少なくとも一部を覆う庇部が設けられることにより、ファインダーが引出位置に引き出されたときに誤って操作部を操作する可能性が小さくなる。
【００２０】
第６に、上記した撮像装置においては、前記ファインダーが前記収納位置から前記引出位置にスライドされたときに電源が投入されるようにすることが望ましい。
【００２１】
ファインダーが収納位置から引出位置にスライドされたときに電源が投入されるようにすることにより、電源釦を操作することなく電源の投入が行われる。
【発明の効果】
【００２２】
本発明撮像装置は、収納ケース部を有する外筐と、前記収納ケース部に対して収納位置と引出位置の間でスライド可能とされたファインダーとを備え、前記ファインダーに操作部が設けられ、前記操作部が前記収納位置において閉塞されて前記操作部に対する操作が不能とされ、前記操作部が前記引出位置において開放されて前記操作部に対する操作が可能とされている。
【００２３】
従って、ファインダーが収納位置にある状態において、外筐を把持して撮像装置を使用したときに、使用者が意図せず操作部を操作してしまうことがなく、操作部に対する誤操作を防止することができる。
【００２４】
請求項２に記載した技術にあっては、前記ファインダーが前記引出位置において前記収納ケース部に対して回動可能とされている。
【００２５】
従って、使用態様の幅が広がり、誤操作を防止した上で使い勝手の向上を図ることができる。
【００２６】
請求項３に記載した技術にあっては、前記収納ケース部に操作スイッチが設けられている。
【００２７】
従って、撮像装置を把持した状態で操作スイッチ及び操作部を同時に操作することが可能になり、撮像装置における良好な操作性が確保され、使い勝手の向上を図ることができる。
【００２８】
請求項４に記載した技術にあっては、前記操作部と前記操作スイッチがそれぞれ前記ファインダーと前記収納ケース部の同一方向を向く面に設けられている。
【００２９】
従って、一層の操作性の向上による使い勝手の向上を図ることができる。
【００３０】
請求項５に記載した技術にあっては、前記ファインダーに前記操作部の少なくとも一部を覆う庇部が設けられている。
【００３１】
従って、ファインダーが引出位置に引き出されたときに誤って操作部を操作する可能性が小さく、ファインダーが引き出された状態における操作部に対する誤操作を防止することができる。
【００３２】
請求項６に記載した技術にあっては、前記ファインダーが前記収納位置から前記引出位置にスライドされたときに電源が投入されるようにしている。
【００３３】
従って、電源釦を操作することなく電源の投入を行うことができると共に電源の投入と撮影を同時に開始することが可能となり使い勝手の向上を図ることができる。
【発明を実施するための最良の形態】
【００３４】
以下に、本技術撮像装置を実施するための最良の形態を添付図面に従って説明する。
【００３５】
以下に示した最良の形態は、本技術撮像装置をビデオカメラに適用したものである。尚、本技術の適用範囲はビデオカメラに限られることはなく、例えば、スチルカメラや他の機器に組み込まれるカメラ等の各種の撮像装置に広く適用することができる。
【００３６】
以下の説明にあっては、ビデオカメラの撮影時において撮影者から見た方向で前後上下左右の方向を示すものとする。従って、被写体側が前方となり、撮影者側が後方となる。
【００３７】
尚、以下に示す前後上下左右の方向は説明の便宜上のものであり、本技術の実施に関しては、これらの方向に限定されることはない。
【００３８】
［撮像装置の構成］
撮像装置１は外筐２の内外に所要の各部が配置されて成る（図１及び図２参照）。外筐２は、例えば、縦長のケース状に形成され、前端部がフロントパネル部３として設けられ、後端部における上端部が後方に開口された収納ケース部４として設けられている。
【００３９】
外筐２の上面２ａにはマイクロフォン５、５、インターフェースカバー６及び操作スイッチ７、７が前側から順に配置されている。操作スイッチ７、７は、例えば、ズームレバーと撮影釦である。
【００４０】
外筐２の一方の側面２ｂには電源釦、画像再生釦等の各種の操作釦８、８、・・・が配置されている。外筐２の一方の側面２ｂにはメモリーカード９が装着される。
【００４１】
外筐２の後面２ｃにはモード切替釦や録画釦等の操作釦１０、１０が配置されている。
【００４２】
外筐２の後面にはバッテリー１１が装着され、バッテリー１１は一部が外筐２の後面２ｃより後方へ突出される。
【００４３】
フロントパネル部３の上端部にはフラッシュ１２が配置されている。フラッシュ１２は夜間撮影時等に用いられ、フラッシュ１２からは補助光が前方へ向けて出射される。
【００４４】
外筐２の側面部には表示部１３が回動自在かつ回転自在に連結されている。表示部１３は前端部が外筐２に連結され、表示面１３ａを有している。
【００４５】
撮像装置１の後端部にはファインダー１４が連結され、ファインダー１４は収納ケース部４に対して前後方向へスライド可能及びチルト方向へ回動可能とされている。
【００４６】
ファインダー１４は、図３乃至図５に示すように、前後方向に延びるスライド支持部１５とスライド支持部１５の後端部に取り付けられた接眼枠部１６とを有している。
【００４７】
スライド支持部１５の上面には操作部１７として、例えば、視度調整用ダイヤルが配置されている。尚、操作部１７は視度調整用ダイヤルに限られることはなく、操作部１７は、例えば、撮影釦、録画釦、ズーム摘子、フォーカス摘子等の他の各種の操作を行うものであってもよい。操作部１７は、特に、ファインダー１４が引き出されたときに使用される操作部であることが望ましい。
【００４８】
接眼枠部１６の上端部には前方及び下方に開口された庇部１６ａが設けられている。操作部１７は前端側の一部を除いた部分又は全体が庇部１６ａによって上方側から覆われている。
【００４９】
ファインダー１４は接眼枠部１６を除いた部分が収納ケース部４に収納される収納位置（図３参照）とスライドされて収納ケース部４から引き出される引出位置（図４参照）との間でスライド可能とされている。また、ファインダー１４は引出位置においてスライド支持部１５の前端部を支点としてチルト方向へ回動可能とされている（図５参照）。
【００５０】
スライド支持部１５の両側面にはそれぞれ外方（側方）へ突出された上側ピン１５ａ、１５ａと下側ピン１５ｂ、１５ｂが設けられている（図６参照）。上側ピン１５ａ、１５ａは下側ピン１５ｂ、１５ｂより後方に位置されている。
【００５１】
ファインダー１４は支持部材１８に支持され、支持部材１８を介して収納ケース部４に対して移動可能かつ回動可能にされている。支持部材１８は、左右に離隔して位置され左右方向を向く支持面部１９、１９と支持面部１９、１９の上縁間を連結する連結面部２０と、支持面部１９、１９からそれぞれ前方へ突出された被取付面部２１、２１とから成る。
【００５２】
支持部材１８はネジ止め等によって収納ケース部４の内部に取り付けられている。
【００５３】
支持面部１９、１９にはそれぞれ第１の支持孔２２、２２と第２の支持孔２３、２３が上下に離隔して形成されている。第１の支持孔２２は前後に長く形成されている。第２の支持孔２３は前後に延びる直線部２３ａと直線部２３ａの後端部に連続する円弧部２３ｂとから成る。直線部２３ａの前端部は第１の支持孔２２の前端部より後方に位置されている。
【００５４】
ファインダー１４は上側ピン１５ａ、１５ａがそれぞれ第１の支持孔２２、２２に摺動自在に支持され下側ピン１５ｂ、１５ｂがそれぞれ第２の支持孔２３、２３に摺動自在に支持されている。
【００５５】
外筐２の内部にはレンズユニット２４が配置されている（図１参照）。レンズユニット２４は鏡筒と鏡筒の内部に配置された複数のレンズとを有している。
【００５６】
［ファインダーの動作］
以下に、ファインダー１４の具体的な動作について説明する（図６乃至図８参照）。
【００５７】
ファインダー１４が収納位置にある状態においては、図６に示すように、上側ピン１５ａ、１５ａがそれぞれ第１の支持孔２２、２２の前端部に係合され、下側ピン１５ｂ、１５ｂがそれぞれ第２の支持孔２３、２３における直線部２３ａ、２３ａの前端部に係合されている。
【００５８】
ファインダー１４が収納ケース部４から引き出されるときには、上側ピン１５ａ、１５ａがそれぞれ第１の支持孔２２、２２を摺動され、下側ピン１５ｂ、１５ｂがそれぞれ第２の支持孔２３、２３における直線部２３ａ、２３ａを摺動される。
【００５９】
ファインダー１４が収納ケース部４から引き出されて引出位置まで移動（スライド）された状態においては、図７に示すように、上側ピン１５ａ、１５ａがそれぞれ第１の支持孔２２、２２の後端部に係合され、下側ピン１５ｂ、１５ｂがそれぞれ第２の支持孔２３、２３における直線部２３ａ、２３ａの後端部に係合される。
【００６０】
引出位置においては、ファインダー１４の後端部がバッテリー１１の後側に位置されており、ファインダー１４を覗き込んだときに使用者（撮影者）の顔がバッテリー１１に接触することがなく、良好な撮影状態を確保することができる。
【００６１】
ファインダー１４が引出位置において回動されるときには、上側ピン１５ａ、１５ａがそれぞれ第１の支持孔２２、２２の後端部において回動支点として機能して回転され、下側ピン１５ｂ、１５ｂがそれぞれ第２の支持孔２３、２３における円弧部２３ｂ、２３ｂを摺動される。
【００６２】
ファインダー１４が引出位置において上方側の回動端まで移動された状態においては、図８に示すように、上側ピン１５ａ、１５ａがそれぞれ第１の支持孔２２、２２の後端部に係合され、下側ピン１５ｂ、１５ｂがそれぞれ第２の支持孔２３、２３における円弧部２３ａ、２３ａの後端部に係合される。
【００６３】
ファインダー１４が引出位置において上方側の回動端まで回動された状態においては、使用者はファインダー１４を上方側から覗き込んで撮影を行うことができ、ローアングルの撮影が可能となり撮像装置１の使い勝手の向上を図ることができる。
【００６４】
逆に、ファインダー１４が引出位置において上方側の回動端から下方側の回動端まで回動され、続いて、前方へ移動されることにより収納位置（図６参照）に戻る。
【００６５】
ファインダー１４が収納位置にある状態においては、操作部１７が収納ケース部４に収納されており、操作部１７が収納位置において閉塞されて操作部１７に対する操作が不能とされている（図３参照）。
【００６６】
一方、ファインダー１４が引出位置にある状態においては、操作部１７が収納ケース部４から後方へ引き出されており、操作部１７が引出位置において開放されて操作部１７に対する操作が可能とされている（図４及び図５参照）。
【００６７】
撮像装置１にあっては、外筐２に設けられた操作釦（電源釦）８を操作することにより電源が投入され、また、ファインダー１４を収納位置から引出位置まで引き出すことによっても電源が投入されるように設定されている。
【００６８】
このように撮像装置１にあっては、ファインダー１４を収納位置から引出位置まで引き出すことにより電源が投入されるため、電源釦を操作することなく電源の投入を行うことができると共に電源の投入と撮影を同時に開始することが可能となり使い勝手の向上を図ることができる。
【００６９】
また、撮像装置１にあっては、収納ケース部４に操作スイッチ７、７が設けられており、ファインダー１４を引出位置に引き出した状態において操作スイッチ７、７及び操作部１７が近傍に位置され、例えば、撮像装置１を把持した片手で操作スイッチ７、７及び操作部１７を操作することが可能になる（図９参照）。
【００７０】
従って、撮像装置１における良好な操作性が確保され、使い勝手の向上を図ることができる。
【００７１】
また、操作スイッチ７、７と操作部１７がともに収納ケース部４の上面とファインダー１４の上面に設けられているため、操作スイッチ７、７と操作部１７が同一方向を向く面に存在し、一層の操作性の向上による使い勝手の向上を図ることができる。
【００７２】
［撮像装置の一実施形態］
図１０に、本技術撮像装置の一実施形態によるビデオカメラのブロック図を示す。
【００７３】
撮像装置（ビデオカメラ）１００（撮像装置１に相当）は、撮像機能を担うカメラブロック７０と、撮影された画像信号のアナログ−デジタル変換等の信号処理を行うカメラ信号処理部７１と、画像信号の記録再生処理を行う画像処理部７２とを有している。また、撮像装置１００は、撮影された画像等を表示する液晶パネル等の画像表示部７３（表示部１３に相当）と、メモリーカード１０００（メモリーカード９に相当）への画像信号の書込及び読出を行うＲ／Ｗ（リーダ／ライタ）７４と、撮像装置１００の全体を制御するＣＰＵ（Central Processing Unit）７５と、ユーザーによって所要の操作が行われる各種のスイッチ等から成る入力部７６（操作スイッチ７、操作釦８、操作釦１０、操作部１７に相当）と、カメラブロック７０に配置されたレンズの駆動を制御するレンズ駆動制御部７７とを備えている。
【００７４】
カメラブロック７０は、レンズ群７８（レンズユニット２４に設けられたレンズ群に相当）を含む光学系や、ＣＣＤ（Charge Coupled Device）やＣＭＯＳ（Complementary Metal-Oxide Semiconductor）等の撮像素子７９等とによって構成されている。
【００７５】
カメラ信号処理部７１は、撮像素子７９からの出力信号に対するデジタル信号への変換、ノイズ除去、画質補正、輝度・色差信号への変換等の各種の信号処理を行う。
【００７６】
画像処理部７２は、所定の画像データーフォーマットに基づく画像信号の圧縮符号化・伸張復号化処理や解像度等のデーター仕様の変換処理等を行う。
【００７７】
画像表示部７３はユーザーの入力部７６に対する操作状態や撮影した画像等の各種のデーターを表示する機能を有している。
【００７８】
Ｒ／Ｗ７４は、画像処理部７２によって符号化された画像データーのメモリーカード１０００への書込及びメモリーカード１０００に記録された画像データーの読出を行う。
【００７９】
ＣＰＵ７５は、撮像装置１００に設けられた各回路ブロックを制御する制御処理部として機能し、入力部７６からの指示入力信号等に基づいて各回路ブロックを制御する。
【００８０】
入力部７６は、例えば、シャッター操作を行うためのシャッターレリーズボタンや、動作モードを選択するための選択スイッチ等によって構成され、ユーザーによる操作に応じた指示入力信号をＣＰＵ７５に対して出力する。
【００８１】
レンズ駆動制御部７７は、ＣＰＵ７５からの制御信号に基づいてレンズ群７８の各レンズを駆動する図示しないモータ等を制御する。
【００８２】
メモリーカード１０００は、例えば、Ｒ／Ｗ７４に接続されたスロットに対して着脱可能な半導体メモリーである。
【００８３】
以下に、撮像装置１００における動作を説明する。
【００８４】
撮影の待機状態では、ＣＰＵ７５による制御の下で、カメラブロック７０において撮影された画像信号が、カメラ信号処理部７１を介して画像表示部７３に出力され、カメラスルー画像として表示される。また、入力部７６からのズーミングのための指示入力信号が入力されると、ＣＰＵ７５がレンズ駆動制御部７７に制御信号を出力し、レンズ駆動制御部７７の制御に基づいてレンズ群７８の所定のレンズが移動される。
【００８５】
入力部７６からの指示入力信号によりカメラブロック７０の図示しないシャッターが動作されると、撮影された画像信号がカメラ信号処理部７１から画像処理部７２に出力されて圧縮符号化処理され、所定のデーターフォーマットのデジタルデーターに変換される。変換されたデーターはＲ／Ｗ７４に出力され、メモリーカード１０００に書き込まれる。
【００８６】
フォーカシングやズーミングは、ＣＰＵ７５からの制御信号に基づいてレンズ駆動制御部７７がレンズ群７８の所定のレンズを移動させることにより行われる。
【００８７】
メモリーカード１０００に記録された画像データーを再生する場合には、入力部７６に対する操作に応じて、Ｒ／Ｗ７４によってメモリーカード１０００から所定の画像データーが読み出され、画像処理部７２によって伸張復号化処理が行われた後に、再生画像信号が画像表示部７３に出力されて再生画像が表示される。
【００８８】
［まとめ］
以上に記載した通り、撮像装置１にあっては、ファインダー１４に操作部１７が設けられ、操作部１７が収納位置において閉塞されて操作部１７に対する操作が不能とされ、操作部１７が引出位置において開放されて操作部１７に対する操作が可能とされている。
【００８９】
従って、ファインダー１４が収納位置にある状態において、外筐２を把持して撮像装置１を使用したときに、使用者が意図せず操作部１７を操作してしまうことがなく、操作部１７に対する誤操作を防止することができる。
【００９０】
また、撮像装置１にあっては、ファインダー１４が引出位置において収納ケース部４に対して回動可能とされているため、使用態様の幅が広がり、誤操作を防止した上で使い勝手の向上を図ることができる。
【００９１】
さらに、ファインダー１４に操作部１７の少なくとも一部を覆う庇部１６ａが設けられているため、ファインダー１４が引出位置に引き出されたときに誤って操作部１７を操作する可能性が小さく、ファインダー１４が引き出された状態における操作部１７に対する誤操作を防止することができる。
【００９２】
［本技術］
本技術は、以下のような構成にすることができる。
【００９３】
（１）収納ケース部を有する外筐と、前記収納ケース部に対して収納位置と引出位置の間でスライド可能とされたファインダーとを備え、前記ファインダーに操作部が設けられ、前記操作部が前記収納位置において閉塞されて前記操作部に対する操作が不能とされ、前記操作部が前記引出位置において開放されて前記操作部に対する操作が可能とされた撮像装置。
【００９４】
（２）前記ファインダーが前記引出位置において前記収納ケース部に対して回動可能とされた前記（１）に記載の撮像装置。
【００９５】
（３）前記収納ケース部に操作スイッチが設けられた前記（１）又は前記（２）に記載の撮像装置。
【００９６】
（４）前記操作部と前記操作スイッチがそれぞれ前記ファインダーと前記収納ケース部の同一方向を向く面に設けられた前記（３）に記載の撮像装置。
【００９７】
（５）前記ファインダーに前記操作部の少なくとも一部を覆う庇部が設けられた前記（１）から前記（５）の何れかに記載の撮像装置。
【００９８】
（６）前記ファインダーが前記収納位置から前記引出位置にスライドされたときに電源が投入されるようにした前記（１）から前記（５）の何れかに記載の撮像装置。
【００９９】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１００】
【図１】図２乃至図１０と共に本技術撮像装置を示すものであり、本図は、撮像装置の斜視図である。
【図２】図１とは異なる方向から見た状態で示す撮像装置の斜視図である。
【図３】ファインダーが収納位置にある状態を示す拡大斜視図である。
【図４】ファインダーが引出位置にある状態を示す拡大斜視図である。
【図５】ファインダーが引出位置において回動された状態を示す拡大斜視図である。
【図６】図７及び図８と共にファインダーの具体的な動作を示すものであり、本図は、ファインダーが収納位置にある状態を示す拡大斜視図である。
【図７】ファインダーが引出位置に移動された状態を示す拡大斜視図である。
【図８】ファインダーが引出位置において上方側の回動端に回動された状態を示す拡大斜視図である。
【図９】ファインダーが引出位置にある状態において操作スイッチ等が操作されている状態を示す斜視図である。
【図１０】撮像装置のブロック図である。
【符号の説明】
【０１０１】
１…撮像装置、２…外筐、３…フロントパネル部、４…収納ケース部、７…操作スイッチ、１４…ファインダー、１６ａ…庇部、１７…操作部、１００…撮像装置
【図１】
2013138376.tif 000003
【図２】
2013138376.tif 000004
【図３】
2013138376.tif 000005
【図４】
2013138376.tif 000006
【図５】
2013138376.tif 000007
【図６】
2013138376.tif 000008
【図７】
2013138376.tif 000009
【図８】
2013138376.tif 000010
【図９】
2013138376.tif 000011
【図１０】
2013138376.tif 000012